(57)【特許請求の範囲】
【請求項１】
ネットワークを介して情報を送受信する印刷サーバを備えた画像形成装置と、
前記ネットワークを介して前記印刷サーバと接続され、前記画像形成装置における印刷出力を支援するセンタサーバと、
前記センタサーバと接続してプリント料金の課金処理を行う課金サーバと
を備え、
前記センターサーバは、
携帯電話機から識別情報が前記ネットワークを介して送信された際に、該識別情報により特定される画像形成装置と関連付けたジョブＩＤを生成し、該生成したジョブＩＤを前記携帯電話機に送信するジョブＩＤ生成手段と、
携帯情報処理装置のＷｅｂブラウザからのアクセスがあった際に、該携帯情報処理装置のＷｅｂブラウザにジョブＩＤ入力画面を送信するジョブＩＤ入力画面送信手段と、
前記ジョブＩＤ入力画面に対して入力されたジョブＩＤを前記携帯情報処理装置のＷｅｂブラウザから取得し、該取得したジョブＩＤに関連付けられた画像形成装置を特定するジョブＩＤ照会手段と、
前記ジョブＩＤ照会手段で画像形成装置が特定されると、該画像形成装置に備えられている前記印刷サーバに自動的にアクセスする自動アクセス手段を前記携帯情報処理装置に送信する自動アクセス手段送信手段と、
前記携帯電話機から受信した情報の中から該携帯電話機を特定することが可能なユーザ情報を取得するユーザ情報取得手段と
を具備し、
前記印刷サーバは、前記携帯情報処理装置から前記自動アクセス手段送信手段が送信した自動アクセス手段に基づくアクセスがあった際に、該携帯情報処理装置に対して印刷出力を受け付けるプリントサービス画面を送信するプリントサービス画面送信手段を具備し、
前記課金サーバは、前記ユーザ情報取得手段が取得したユーザ情報に基づいて前記プリント料金を前記携帯電話機の利用料金に合算するためのデータを作成する課金手段を具備する
ことを特徴とする画像形成システム。
【請求項２】
前記画像形成装置の近傍に設置され、少なくとも該画像形成装置を特定する識別情報と該画像形成装置の利用に際して前記識別情報を送信する送信先のアドレスとが暗号化された図形をさらに具備する
ことを特徴とする請求項１記載の画像形成システム。
【請求項３】
画像形成装置が備える印刷サーバとネットワークを介して接続され、該画像形成装置における印刷出力を支援するセンタサーバが、携帯電話機から識別情報が前記ネットワークを介して送信された際に、該識別情報により特定される画像形成装置と関連付けたジョブＩＤを生成し、該生成したジョブＩＤを前記携帯電話機に送信し、携帯情報処理装置のＷｅｂブラウザからのアクセスがあった際に、該携帯情報処理装置のＷｅｂブラウザにジョブＩＤ入力画面を送信し、該ジョブＩＤ入力画面に対して入力されたジョブＩＤを前記携帯情報処理装置のＷｅｂブラウザから取得し、該取得したジョブＩＤに関連付けられた画像形成装置を特定し、該特定した画像形成装置に備えられている前記印刷サーバに自動的にアクセスする自動アクセス手段を前記携帯情報処理装置に送信し、前記携帯電話機から受信した情報の中から該携帯電話機を特定することが可能なユーザ情報を取得し、
前記印刷サーバが、前記携帯情報処理装置から前記自動アクセス手段送信手段が送信した自動アクセス手段に基づくアクセスがあった際に、該携帯情報処理装置に対して印刷出力を受け付けるプリントサービス画面を送信し、
前記センタサーバと接続される課金サーバが、該センタサーバから前記ユーザ情報を取得し、該取得したユーザ情報に基づいてプリント料金を前記携帯電話機の利用料金に合算するためのデータを作成する
ことを特徴とする画像形成方法。
【請求項４】
前記識別情報及び前記画像形成装置の利用に際して前記識別情報を送信する前記送信先のアドレスは、該画像形成装置の近傍に設置され、少なくとも該画像形成装置を特定する識別情報と該画像形成装置の利用に際して前記識別情報を送信する送信先のアドレスとが暗号化された図形を、前記携帯電話機が解析して取得することを特徴とする請求項３記載の画像形成方法。
【発明の詳細な説明】
【技術分野】
【０００１】
本発明は、画像形成システム、画像形成方法、画像形成装置、及びセンタサーバに関し、特に、不特定多数の者が利用する画像形成システム、画像形成方法、画像形成装置、及びセンタサーバに関する。
【背景技術】
【０００２】
ホテルやコンビニエンスストアなどの公共の場には、宿泊客や買い物客など、不特定多数の者の使用を前提としたプリンタや複合機などの画像形成装置が設置されている。
【０００３】
そして、このような画像形成装置から画像を印刷出力する方法としては、例えば、携帯電話機から画像形成装置に画像データを送信して印刷出力する方法が知られている（例えば、特許文献１参照）。
【０００４】
また、画像形成装置のＩＰアドレスをノートパソコンなどの携帯情報処理装置に入力し、携帯情報処理装置と画像形成装置とをネットワークを介して直接接続させて印刷出力する方法もあり、この際、煩雑で間違え易いＩＰアドレスの入力を容易としたり、画像形成装置に対応するドライバを具備していない携帯情報処理装置からの印刷出力を可能とするため、ユーザとのインターフェイス機能やＬＣＤ(Liquid Crystal Display)などのモニター、画像形成装置の使用開始などを操作・入力するためのボタンなどを備えたプリントサービス端末を画像形成装置毎に設置して画像形成を支援する方法も提案されている。
【特許文献１】特開２００３−１３１８３０号公報
【発明の開示】
【発明が解決しようとする課題】
【０００５】
しかし、画像形成装置を利用した際に発生するプリント料金は、当該画像形成装置に併設されたコインキットを使って支払う方式が主流である。
【０００６】
このため、画像形成装置を利用する度にコインを支払う手間がかかり、また、コインキット内の現金管理・集金にコストがかかっていた。
【０００７】
そこで本発明では、公共の場所に設置された画像形成装置で発生するプリント料金を容易に課金することが可能な画像形成システム、画像形成方法、画像形成装置、及びセンタサーバを提供することを目的とする。
【課題を解決するための手段】
【０００８】
本発明における画像形成システムは、ネットワークを介して情報を送受信する印刷サーバを備えた画像形成装置と、前記ネットワークを介して前記印刷サーバと接続され、前記画像形成装置における印刷出力を支援するセンタサーバと、前記センタサーバと接続してプリント料金の課金処理を行う課金サーバとを備え、前記センターサーバは、携帯電話機から識別情報が前記ネットワークを介して送信された際に、該識別情報により特定される画像形成装置と関連付けたジョブＩＤを生成し、該生成したジョブＩＤを前記携帯電話機に送信するジョブＩＤ生成手段と、携帯情報処理装置のＷｅｂブラウザからのアクセスがあった際に、該携帯情報処理装置のＷｅｂブラウザにジョブＩＤ入力画面を送信するジョブＩＤ入力画面送信手段と、前記ジョブＩＤ入力画面に対して入力されたジョブＩＤを前記携帯情報処理装置のＷｅｂブラウザから取得し、該取得したジョブＩＤに関連付けられた画像形成装置を特定するジョブＩＤ照会手段と、前記ジョブＩＤ照会手段で画像形成装置が特定されると、該画像形成装置に備えられている前記印刷サーバに自動的にアクセスする自動アクセス手段を前記携帯情報処理装置に送信する自動アクセス手段送信手段と、前記携帯電話機から受信した情報の中から該携帯電話機を特定することが可能なユーザ情報を取得するユーザ情報取得手段とを具備し、前記印刷サーバは、前記携帯情報処理装置から前記自動アクセス手段送信手段が送信した自動アクセス手段に基づくアクセスがあった際に、該携帯情報処理装置に対して印刷出力を受け付けるプリントサービス画面を送信するプリントサービス画面送信手段を具備し、前記課金サーバは、前記ユーザ情報取得手段が取得したユーザ情報に基づいて前記プリント料金を前記携帯電話機の利用料金に合算するためのデータを作成する課金手段を具備することを特徴とする。
【０００９】
また、前記画像形成装置の近傍に設置され、少なくとも該画像形成装置を特定する識別情報と該画像形成装置の利用に際して前記識別情報を送信する送信先のアドレスとが暗号化された図形をさらに具備することを特徴とする。
【００１０】
次に、本発明における画像形成方法は、画像形成装置が備える印刷サーバとネットワークを介して接続され、該画像形成装置における印刷出力を支援するセンタサーバが、携帯電話機から識別情報が前記ネットワークを介して送信された際に、該識別情報により特定される画像形成装置と関連付けたジョブＩＤを生成し、該生成したジョブＩＤを前記携帯電話機に送信し、携帯情報処理装置のＷｅｂブラウザからのアクセスがあった際に、該携帯情報処理装置のＷｅｂブラウザにジョブＩＤ入力画面を送信し、該ジョブＩＤ入力画面に対して入力されたジョブＩＤを前記携帯情報処理装置のＷｅｂブラウザから取得し、該取得したジョブＩＤに関連付けられた画像形成装置を特定し、該特定した画像形成装置に備えられている前記印刷サーバに自動的にアクセスする自動アクセス手段を前記携帯情報処理装置に送信し、前記携帯電話機から受信した情報の中から該携帯電話機を特定することが可能なユーザ情報を取得し、
前記印刷サーバが、前記携帯情報処理装置から前記自動アクセス手段送信手段が送信した自動アクセス手段に基づくアクセスがあった際に、該携帯情報処理装置に対して印刷出力を受け付けるプリントサービス画面を送信し、前記センタサーバと接続される課金サーバが、該センタサーバから前記ユーザ情報を取得し、該取得したユーザ情報に基づいてプリント料金を前記携帯電話機の利用料金に合算するためのデータを作成することを特徴とする。
【００１１】
また、前記識別情報及び前記画像形成装置の利用に際して前記識別情報を送信する前記送信先のアドレスは、該画像形成装置の近傍に設置され、少なくとも該画像形成装置を特定する識別情報と該画像形成装置の利用に際して前記識別情報を送信する送信先のアドレスとが暗号化された図形を、前記携帯電話機が解析して取得することを特徴とする。
【発明の効果】
【００１３】
本発明では、現金を媒介させずに課金することが可能となり、大幅に安価な運転経費で不特定のユーザに課金を行うことができる。
【発明を実施するための最良の形態】
【００１４】
以下、本発明に係る画像形成システム、画像形成方法、画像形成装置、及びセンタサーバを実施するための最良の形態について、添付図面を参照して詳細に説明する。
【実施例１】
【００１５】
図１は、本発明に係る画像形成システムの構成の一例を示す概略概念図である。同図に示すように本発明に係る画像形成システムは、印刷サーバ１０を備えたプリンタや複合機などの画像形成装置２０と、課金サーバ３０を備え、インターネット網などのネットワーク４０を介して画像形成装置２０と接続し、画像形成装置２０での印刷を支援するセンタサーバ５０とを具備して構成され、ネットワーク４０に設けられた中継局６０を介して、携帯電話機７０やノートパソコンやＰＤＡ(Personal Digital Assistance)などの携帯情報処理装置８０との無線接続を可能としている。
【００１６】
ここで、印刷サーバ１０は、画像形成装置２０やネットワーク４０と接続し、情報を送受信するための処理を行う通信部１１と、Ｗｅｂページを格納するＷｅｂページ格納部１２と、Ｗｅｂページを提供するための処理を行うＷｅｂページ提供部１３と、印刷条件に基づいてファイルを画像形成装置から印刷出力するための処理を行う印刷処理部１４とを具備して構成される。
【００１７】
そして、本実施例における印刷サーバは、Ｗｅｂブラウザを介して所定のアドレス（ＵＲＬ(Uniform Resource Locator)など）にアクセスされると、当該アドレスに対応するＷｅｂページ（画面）を提供する。
【００１８】
また、印刷条件、及び印刷出力するファイルを受信すると、印刷条件に基づいてファイルを画像形成装置から印刷出力するための処理を行い、印刷が終了すると、印刷枚数や用紙サイズなど、課金に必要な情報（課金情報）を印刷が終了した旨と共にセンタサーバに通知する。
【００１９】
なお、Ｗｅｂページ格納部１２、Ｗｅｂページ提供部１３、及び印刷処理部１４は、ソフトウェア等により実現される部分である。
【００２０】
画像形成装置２０は、当該画像形成装置を特定することが可能な識別情報、及び当該画像形成装置を利用する際に識別情報を送信してジョブＩＤを取得するためにアクセスするアクセス先のアドレスに関する情報が含まれた２次元バーコードなどの図形を備えている。
【００２１】
ここで、ジョブＩＤとは、当該画像形成装置を利用するにあたって、センタサーバがユーザの携帯情報処理装置からアクセスされた際にファイルを印刷出力する当該画像形成装置を特定するために利用する識別子である。
【００２２】
課金サーバ３０は、センタサーバ５０と接続し、情報を送受信するための処理を行う通信部３１と、画像形成装置の料金表を識別情報に関連付けて格納する料金表格納部３２と、ユーザが利用する画像形成装置の料金表を提供する料金表提供部３３と、プリント料金を携帯電話の利用料として請求する旨の同意を確認する支払い同意確認画面を、ユーザが利用する画像形成装置の料金表と合成して生成し、当該支払い同意確認画面をユーザの携帯電話機に送信するための処理を行う支払い確認画面提供部３４と、ユーザに請求するプリント料金を算出するプリント料金算出部３５と、プリント料金を携帯電話機の利用料金に合算するための処理を行う課金処理部３６とを具備して構成されている。
【００２３】
そして、本実施例における課金サーバは、画像形成装置毎の料金表を管理し、必要に応じて料金表や支払い同意確認画面を提供すると共に、印刷が終了すると、プリント料金を算出し、携帯電話機の利用料金と合算してユーザに請求するための処理を行う。
【００２４】
なお、料金表格納部３２、料金表提供部３３、支払い確認画面提供部３４、プリント料金算出部３５、及び課金処理部３６は、ソフトウェア等により実現される部分である。
【００２５】
センタサーバ５０は、ネットワーク４０と接続し、情報を送受信するための処理を行う通信部５１と、Ｗｅｂページを格納するＷｅｂページ格納部５２と、Ｗｅｂページを提供するための処理を行うＷｅｂページ提供部５３と、ユーザの携帯情報処理装置からアクセスされた際にファイルを印刷出力する当該画像形成装置を特定するためのジョブＩＤを生成するジョブＩＤ生成部５４と、データベース５５と、データベース５５を利用してジョブＩＤを照会するジョブＩＤ照会部５６と、プリント料金の請求に利用する課金ＩＤを生成する課金ＩＤ生成部５７とを含んで構成されている。
【００２６】
ここで、ジョブＩＤ生成部５４は、識別情報に基づいて画像形成装置２０を特定し、当該画像形成装置２０に関連付けられたジョブＩＤを生成する。
【００２７】
データベース５５は、画像形成装置２０毎に、識別情報、印刷サーバ１０のアドレス、ジョブＩＤ生成部５４で生成されたジョブＩＤを記録する。
【００２８】
ジョブＩＤ照会部５６は、ジョブＩＤを照会して画像形成装置２０を特定し、当該画像形成装置に備えられている印刷サーバのアドレスを取得する。
【００２９】
そして、本実施例におけるセンタサーバは、所定のアドレスで識別情報を受信すると、ジョブＩＤを生成し、プリント料金、支払方法がユーザに同意されると、画像形成装置の占有を確立すると共に、識別情報の送信元にジョブＩＤを通知する。
【００３０】
次に、Ｗｅｂブラウザを介して所定のアドレスにアクセスされ、ジョブＩＤの入力を受け付け、プリント料金をユーザに再度通知した後、ファイルを印刷出力する画像形成装置に備えられている印刷サーバに自動的にアクセスする自動アクセス手段を提供する。
【００３１】
また、印刷が終了すると、ユーザに課金するプリント料金を合成したログオフ画面を通知し、印刷終了が指示されると、画像形成装置の占有を終了する。
【００３２】
ここで、自動アクセス手段としては、例えば、現在表示しているＷｅｂページから所定のアドレスのＷｅｂページに自動的に移動する機能を備えたＷｅｂページを提供する方法や、任意のＷｅｂページを表示する新たなウインドをポップアップで開かせる方法など、任意の方法を用いることができる。
【００３３】
また、携帯情報処理装置からＷｅｂブラウザを介してサクセスされた際に、複数のフレームに分割して構成され、センタサーバ、及び印刷サーバから提供されるＷｅｂページをそれぞれ別のフレーム上に表示すると共に、定期的、又は不定期に携帯情報処理装置からセンタサーバ、及び印刷サーバにアクセスしてアップロードする自動アップロード機能を備えたＷｅｂページを提供するように構成してもよく、この際、当該自動アップロード機能を自動アクセス手段として用いてもよい。
【００３４】
なお、Ｗｅｂページ格納部５２、Ｗｅｂページ提供部５３、ジョブＩＤ生成部５４、データベース５５、ジョブＩＤ照会部５６、及び課金ＩＤ生成部５７は、ソフトウェア等により実現される部分である。
【００３５】
携帯電話機７０は、被写体を撮影して画像データを取得するカメラ機能と、画像データから２次元バーコードなどの図形を認識し、当該図形が示している情報を解読する解読機能と、Ｗｅｂページを表示するＷｅｂブラウザ機能とを備えている。
【００３６】
携帯情報処理装置８０は、インターネット網と無線接続する無線ＬＡＮ(Local Area Network)などの通信機能と、Ｗｅｂページを表示するブラウザ機能とを備えている。
【００３７】
上記構成を用いて本実施例における画像形成システムでは、まず、ユーザが携帯電話機で画像形成装置に設けられた２次元バーコード（図形）を撮影し、解析結果として得られたアクセス先に識別情報を送信する。
【００３８】
次に、料金表、支払い確認通知画面を携帯電話機に表示し、ユーザが同意すると、ジョブＩＤを携帯電話機に表示する。
【００３９】
そして、携帯情報処理装置からユーザがセンタサーバのＷｅｂページにアクセスし、ジョブＩＤを入力すると、センタサーバから提供される自動アクセス手段に基づいて、先に２次元バーコードを撮影した画像形成装置が備えている印刷サーバのＷｅｂページに移動する。
【００４０】
ここで、ユーザが印刷条件や印刷するファイルの指定を行うと、ユーザの指定したファイルを画像形成装置から印刷出力し、印刷結果、及びプリント料金の課金額を携帯情報処理装置の画面上に表示する。
【００４１】
図２及び図３は、本実施例における画像形成システムの処理の流れを示すフローチャートである。
【００４２】
まず、携帯電話機は、画像形成装置に設置されている２次元バーコード（図形）を撮影・解析して、当該画像形成装置を特定することが可能な識別情報と、センタサーバ内に設けられているジョブＩＤ取得サイトのアドレス（ＵＲＬなど）を取得し（ステップ１００）、ジョブＩＤ取得サイトにアクセスすると共に、識別情報を送信する（ステップ１０１）。
【００４３】
センタサーバは、識別情報と共に携帯電話機から送信される情報の中から、電話番号やＥ−ｍａｉｌアドレスなど、当該携帯電話機を特定することが可能なユーザ情報を取得すると共に、識別情報に基づいて画像形成装置を特定し、当該画像形成装置に関連付けられたジョブＩＤ、及びプリント料金の課金に利用する課金ＩＤを生成し（ステップ１０２）、画像形成装置の識別情報、及び課金ＩＤを課金サーバに送信する（ステップ１０３）。
【００４４】
課金サーバは、識別情報に基づいて画像形成装置を特定し、当該画像形成装置に対応するプリント料金の料金表を作成する（ステップ１０４）と共に、識別情報、及び料金表を課金ＩＤに関連付けて記憶し、料金表をセンタサーバに送信する（ステップ１０５）。
【００４５】
センタサーバは、プリント料金を携帯電話機の利用料金に合算して請求することに同意する旨をユーザに確認するための支払い同意確認画面を料金表を組み込んで作成し（ステップ１０６）、当該支払い同意確認画面を携帯電話機に送信する（ステップ１０７）。
【００４６】
携帯電話機は、支払い同意確認画面を表示し、画面上の「ＯＫ」ボタンが押される操作がなされるなど、ユーザの同意を確認する（ステップ１０８）と、同意を確認した旨をセンタサーバに通知する（ステップ１０９）。
【００４７】
センタサーバは、画像形成装置の占有を開始する（ステップ１１０）と共に、ジョブＩＤを表示するジョブＩＤ表示画面を携帯電話機に送信し（ステップ１１１）、携帯電話機は、受信したジョブＩＤ表示画面を表示する（図４参照）（ステップ１１２）。
【００４８】
次に、携帯情報処理装置は、Ｗｅｂブラウザを介して、ファイルの印刷を受け付けるセンタサーバのＷｅｂページにアクセスし（ステップ１１３）、ジョブＩＤの入力を要求するジョブＩＤ入力画面をセンタサーバから受信すると（ステップ１１４）、受信したジョブＩＤ入力画面を表示し（図５参照）、ジョブＩＤが入力される（ステップ１１５）と、入力されたジョブＩＤをセンタサーバに送信する（ステップ１１６）。
【００４９】
センタサーバは、ジョブＩＤを照会して、ファイルを印刷出力する画像形成装置を特定する（ステップ１１７）と共に、当該画像形成装置に対応するプリント料金の料金表を携帯情報処理装置に送信する（ステップ１１８）。
【００５０】
携帯情報処理装置は、料金表を表示し、画面上の「ＯＫ」ボタンが押される操作がなされるなど、ユーザが料金を確認した旨を確認する（ステップ１１９）と、同意を確認した旨をセンタサーバに通知する（ステップ１２０）。
【００５１】
センタサーバは、画像形成装置に設置されている印刷サーバのアドレスと、当該アドレスに自動的にアクセスする自動アクセス手段を携帯情報処理装置に送信する（ステップ１２１）。
【００５２】
携帯情報処理装置は、Ｗｅｂブラウザを介して、画像形成装置の印刷サーバにアクセスし（ステップ１２２）、ファイルの印刷出力を受け付けるプリントサービス画面を印刷サーバから受信する（ステップ１２３）と、受信したプリントサービス画面を表示し（図６参照）、印刷するファイルの指定や印刷条件（用紙のサイズや向きなど）などが入力され、印刷開始が指示される（ステップ１２４）と、ファイル及び印刷条件を印刷サーバに送信する（ステップ１２５）。
【００５３】
印刷サーバは、当該印刷条件に基づいてファイルを画像形成装置から印刷出力するための処理を行い（ステップ１２６）、画像形成装置での印刷が終了すると、課金に必要な印刷枚数や用紙サイズなどの課金情報と、印刷の終了をセンタサーバに通知する（ステップ１２７）。
【００５４】
センタサーバは、課金ＩＤ、課金情報、及び携帯電話機を特定するためのユーザ情報（携帯電話機の電話番号、Ｅ−ｍａｉｌアドレスなど）を課金サーバに送信する（ステップ１２８）。
【００５５】
課金サーバは、課金ＩＤに基づいて料金表を特定すると共に、課金情報に基づいてプリント料金を算出し、携帯電話機の利用料金に合算するための処理を行い（ステップ１２９）、プリント料金をセンタサーバに通知する（ステップ１３０）。
【００５６】
センタサーバは、印刷結果を通知すると共に、引き続き印刷を行うか否かの選択を受け付けるログオフ画面をプリント料金を組み込んで作成し（ステップ１３１）、当該ログオフ画面を携帯情報処理装置に送信する（ステップ１３２）。
【００５７】
携帯情報処理装置は、ログオフ画面を表示し（図７参照）（ステップ１３３）、印刷の終了又は継続が選択されると、選択結果をセンタサーバへ送信する（ステップ１３４）。  ここで、センタサーバは、印刷の継続が選択されている（ステップ１３５０でＹＥＳ）と、印刷サーバからプリントサービス画面を携帯情報処理装置に再送する（ステップ１２３）。
【００５８】
一方、印刷終了が選択されている（ステップ１３５でＮＯ）と、画像形成装置の占有を解除する（ステップ１３６）。
【００５９】
なお、ステップ１３５で印刷の継続が選択された際にプリントサービス画面を再送する方法としては、例えば、自動アクセス手段の提供や、Ｗｅｂページの自動アップロード機能など、任意の方法を用いて行うことができる。
【００６０】
また、画像形成装置の識別情報、及びユーザＩＤ取得サイトのアドレスを示す図形は、２次元バーコードに限られるものではなく、例えば、様々な太さの線が並んだ通常のバーコードなど、カメラ機能付き携帯電話機で撮影・解析して、所定の情報が得られるものであれば、任意の図形を用いることができる。
【００６１】
さらに、ユーザＩＤ取得後、携帯情報処理装置として携帯電話機を利用することも可能であり、その際、図８に示すように画面内を操作することでそのままセンタサーバにアクセスすることが可能なユーザＩＤ表示画面をステップ１１１で送信してもよい。
【００６２】
加えて、ジョブＩＤ取得サイトに識別情報を送信し、ジョブＩＤを取得するまでの間の携帯電話機とセンタサーバとの通信は、Ｅ−ｍａｉｌを用いて行ってもよい。
【００６３】
また、ステップ１０３で携帯電話機のアドレスを課金サーバに通知し、ステップ１０５で料金表をセンタサーバ及び携帯電話機に課金サーバから送信するように構成してもよい。
【００６４】
さらに、本実施例では、印刷が終了するたびに課金処理を行っているが、例えば、印刷出力処理を行った後、印刷結果及び印刷を継続するか否かを確認する画面を携帯情報処理装置に送信するなどして、印刷が全て終了した後にまとめて課金処理を行うように構成してもよい。
【００６５】
加えて、ステップ１２９でプリント料金を携帯電話機の利用料金に合算するための処理は、実際に利用料金に加算して請求可能な状態とするための処理に限られず、例えば、携帯電話機のキャリアでプリント料金の加算を行う場合は、加算に必要なデータを作成するための処理であってもよい。
【００６６】
また、課金サーバ３０とセンタサーバ５０は、同じサーバであっても良い。携帯電話機７０と携帯情報処理装置８０は、同じ装置であっても良い。印刷サーバ１０と画像形成装置２０は、同じ装置であっても良い。
【００６７】
このように本実施例では、画像形成装置に設置されている２次元バーコードを携帯電話機で撮影・解析し、取得したアドレスに携帯電話機からアクセスするため、センタサーバ側で携帯電話機の情報を取得し、プリント料金を携帯電話の利用料金を合算して請求することができる。
【００６８】
また、現金を介さずにプリント料金を徴収することができるため、コインキットの設置や管理、コインキット内の現金の管理や集金が不要となり、大幅に安価な運転経費で不特定のユーザに課金を行うことができる。
【図面の簡単な説明】
【００６９】
【図１】本発明に係る画像形成システムの構成の一例を示す概略概念図である。
【図２】実施例１における画像形成システムの処理の流れを示すフローチャートである。
【図３】実施例１における画像形成システムの処理の流れを示すフローチャートである。
【図４】ジョブＩＤ表示画面の一例を示す図である。
【図５】ジョブＩＤ入力画面の一例を示す図である。
【図６】プリントサービス画面の一例を示す図である。
【図７】ログオフ画面の一例を示す図である。
【図８】ジョブＩＤ表示画面の一例を示す図である。
【符号の説明】
【００７０】
１０…印刷サーバ
１１…通信部
１２…Ｗｅｂページ格納部
１３…Ｗｅｂページ提供部
１４…印刷処理部
２０…画像形成装置
３０…課金サーバ
３１…通信部
３２…料金表格納部
３３…料金表提供部
３４…支払い確認画面提供部
３５…プリント料金算出部
３６…課金処理部
４０…ネットワーク
５０…センタサーバ
５１…通信部
５２…Ｗｅｂページ格納部
５３…Ｗｅｂページ提供部
５４…ジョブＩＤ生成部
５５…データベース
５６…ジョブＩＤ照会部
５７…課金ＩＤ生成部
６０…中継局
７０…携帯電話機
８０…携帯情報処理装置
【図１】
0004635798.tif 000002
【図２】
0004635798.tif 000003
【図３】
0004635798.tif 000004
【図４】
0004635798.tif 000005
【図５】
0004635798.tif 000006
【図６】
0004635798.tif 000007
【図７】
0004635798.tif 000008
【図８】
0004635798.tif 000009